(57)【要約】【課題】  無線式のリモートコントローラの充電および管理を容易とする充電装置を提供することである。【解決手段】  ミキサ車のドラムＤを駆動制御する制御装置３０に対し制御信号を無線送信可能なリモートコントローラＲに電力供給を行う蓄電池１０を充電する充電装置Ｅにおいて、リモートコントローラＲを保持するホルダ１と、太陽電池２と、蓄電池１０に太陽電池２が発生する電力を出力する出力端子３とを備えた。【選択図】        図１
2007104780.tif 000002
【特許請求の範囲】
【請求項１】
ミキサ車のドラムを駆動制御する制御装置に対し制御信号を無線送信可能なリモートコントローラに電力供給を行う蓄電池を充電する充電装置において、リモートコントローラを保持するホルダと、太陽電池と、蓄電池に太陽電池が発生する電力を出力する出力端子とを備えた充電装置。
【請求項２】
ホルダはリモートコントローラを外部操作可能な状態で保持することを特徴とする請求項１に記載の充電装置。
【請求項３】
副蓄電池を備え、太陽電池の発生する電力を副蓄電池に蓄え、副蓄電池に蓄えられた電力を蓄電池に出力端子を介して出力する請求項１または２に記載の充電装置。
【請求項４】
ホルダをミキサ車の運転室内の所定の位置に着脱可能に固定する固定手段を設けたことを特徴とする求項１から３のいずれかに記載の充電装置。
【請求項５】
ホルダにベルト通しを設けたことを特徴とする請求項１から４のいずれかに記載の充電装置。
【発明の詳細な説明】
【技術分野】
【０００１】
この発明は、ミキサ車のドラムを駆動制御する制御装置に対し制御信号を無線送信可能なリモートコントローラに設けられ、該リモートコントローラに電力供給を行う蓄電池を充電する充電装置に関する。
【背景技術】
【０００２】
およそミキサ車にあっては、モルタルやレディミクストコンクリート等（以下、「生コン」という）を生コン工場から工事現場まで運搬する必要性から車台にドラムを搭載し、運搬中は生コンの品質劣化および固化を防止するためにドラムを正転させて絶えず攪拌し、工事現場に到着するとドラム内から生コンを排出するためにドラムを逆転させる作業が必要となる。
【０００３】
また、生コンを工事現場にて排出する作業に便利なように、運転室内からドラムを排出回転させることを可能とする有線式のリモートコントローラを運転室内に搭載するようにしている（特許文献１参照）。
【０００４】
そして、このリモートコントローラは、運転室内の運転者から見て左側、すなわち、運転室中央に配置されたシフトレバーの後方に配置される小物入れの蓋の上面に固定されて備え付けてあるのが通常である。
【０００５】
なお、工事現場にて、生コンを排出する時には、一般的にはミキサ車を駐車しておき、運転者は施工箇所に生コンを排出するべくミキサ車の背後に備え付けのシュートを操作しつつドラムを排出回転させることができるように、ミキサ車のシュート備え付け近傍にも備え付けのコントローラが設けてある。
【０００６】
ところで、生コンは、ある程度流動性を備えているが、水等のように流動性に富んではおらず、一箇所に生コンを排出しただけでは生コンを満遍なく施工箇所に排出することができない。
【０００７】
したがって、生コンを施工箇所に排出する作業者は、シュートを回動させてその先端を揺動させつつ施工箇所に生コンを排出するのであるが、施工箇所が比較的大規模な場合、シュート先端の揺動のみでは施工箇所に満遍なく生コンを排出することができない場合がある。
【０００８】
そこで、生コン排出作業者は、工事現場にて施工箇所に満遍なく生コンを排出するべくミキサ車を走行させつつ生コンを施工箇所に排出するといった作業をする必要があるが、作業者は、安全のため前方を確認するとともに、サイドミラー等でシュートの先端が施工箇所に生コンを排出できる状態に維持されているかを確認し、かつ、生コンの排出量が適切となるようにドラムの回転速度等を調節しつつミキサ車を走行させるといった高度な作業を強いられることになる。
【０００９】
しかし、上述したように、運転室内にあるリモートコントローラは、運転室内に運転室中央よりに固定されて設置されているので、上記ミキサ車を走行させつつ生コンを排出する場合、作業者は、ドラムの回転操作を行うべくリモートコントローラのスイッチ類を操作する際、無理な体勢を余儀なくされたり、あるいは、そのリモートコントローラを手探りで探す必要があるので上記高度な作業に対する注意をそがれたりすることがあった。
【特許文献１】特開２００２−１７２９７３号公報（発明の実施の形態欄，図１）
【発明の開示】
【発明が解決しようとする課題】
【００１０】
そこで、上記リモートコントローラを無線式として、作業者の身近な場所において置けるようにして上記不具合を改善しようとする提案が成し得るが、そうすると、無線式のリモートコントローラにあっては、ドラムを回転駆動する制御装置に対して無線信号を送信する必要性から電力源を備えていることが要求される。
【００１１】
ここで、電力源を蓄電池とする場合、ミキサ車は、略毎日一日中使用されることから、無線式のリモートコントローラの消費電力は大きいことが予想され、また、リモートコントローラへの電力供給が突然途絶えてしまう懸念もあり、毎日充電を欠かさず行うことが要求される。
【００１２】
しかし、無線式のリモートコントローラの充電をミキサ車のバッテリを利用して行う場合、ミキサ車のバッテリの寿命を短命にし、また、バッテリがあがってしまう事態を将来する危惧があり、かといって、商用電源を用いて充電する場合にはリモートコントローラをミキサ車近傍から離れた場所で管理せざるを得ない状況となってしまうこともあり、作業者にリモートコントローラの充電および管理を強いることになり、その取り扱いが煩雑となってしまう。
【００１３】
そこで、本発明は、上記不具合を改善するために創案されたものであって、その目的とするところは、無線式のリモートコントローラの充電および管理を容易とする充電装置を提供することである。
【課題を解決するための手段】
【００１４】
上記した目的を達成するために、本発明は、ミキサ車のドラムを駆動制御する制御装置に対し制御信号を無線送信可能なリモートコントローラに電力供給を行う蓄電池を充電する充電装置において、リモートコントローラを保持するホルダと、太陽電池と、蓄電池に太陽電池が発生する電力を出力する出力端子とを備えた。
【発明の効果】
【００１５】
本発明によれば、太陽電池を充電源としてリモートコントローラの蓄電池の充電をすることができ、いちいち、商用電源やミキサ車のバッテリを利用してリモートコントローラの充電を行う手間が省けるとともに、日中に充電を行いつづけることができるので、作業途中でリモートコントローラの蓄電池が完全に放電してしまい電力供給が途絶えてしまうという事態をも防止することが可能である。
【００１６】
また、充電源が太陽電池であるので、ミキサ車のバッテリの寿命が短命になったり、バッテリがあがってしまったりといった事態をも回避することができる。
【００１７】
そして、無線式のリモートコントローラの蓄電池の充電をミキサ車のバッテリや商用電源を利用することなく行うことが可能であることから、身近な場所でリモートコントローラの蓄電池の充電を行うことが可能であり、リモートコントローラの管理をも容易とすることができる。
【００１８】
さらに、リモートコントローラを保持するホルダを備えているので、充電中にミキサ車の走行中の振動やリモートコントローラの携行中に、リモートコントローラが充電装置から脱落してリモートコントローラの蓄電池への太陽電池の電力供給が途絶えてしまう危惧もない。
【発明を実施するための最良の形態】
【００１９】
以下に、図示した実施の形態に基づいて、この発明を説明する。図１は、一実施の形態における充電装置の正面図を示す図である。図２は、一実施の形態における充電装置とリモートコントローラのブロック図である。図３は、一実施の形態におけるリモートコントローラの正面図を示す図である。図４は、ドラム駆動制御システムの構成を概念的に示す図である。図５は、充電装置のホルダでリモートコントローラを保持している状態を示す図である。図６は、一実施の形態の変形例における充電装置とリモートコントローラのブロック図である。図７は、充電装置の背面図である。図８は、ミキサ車の運転室内に充電装置およびリモートコントローラを固定した状態を示す図である。
【００２０】
一実施の形態における充電装置Ｅは、図１および図２に示すように、リモートコントローラＲを保持するホルダ１と、太陽電池２と、リモートコントローラＲに設けた蓄電池１０に太陽電池２が発生する電力を出力する出力端子３とを備えて構成されている。
【００２１】
他方、リモートコントローラＲは、図２および図３に示すように、筐体１１と、筐体１１に取付けられた操作部となる操作スイッチ１２と、操作スイッチの操作に応じた信号を生成し該信号を無線送信する通信制御部１３と、通信制御部１３へ電力供給を行う蓄電池１０と、筐体１１の一端から延設されるグリップ１４と、筐体１１の他端に設けた蓄電池１０に接続される入力端子１５とを備えて構成されている。
【００２２】
なお、ミキサ車のドラムＤを駆動制御する制御装置３０は、図４に示すように、油圧モータＭおよび双方向吐出ポンプＰに接続され、リモートコントローラＲからのドラム回転指令としての無線信号を受け取ると、該信号を処理してドラムＤを駆動する油圧モータＭの傾転角の変更、および、双方向吐出油圧ポンプＰの作動油吐出量および吐出方向を変更して、ドラム回転指令通りにドラムＤの回転方向および回転数を制御するように設定されている。
【００２３】
なお、リモートコントローラＲの操作部は、作業者の操作によってドラムＤの回転をコントロールすることが可能なようになっており、基本的には、ドラムの回転方向および回転数を操作するボリューム型の操作スイッチ１２とされているが、作業者に対する便宜を図る上で必要なスイッチ、たとえば、ドラムＤの回転を停止させる停止スイッチやドラムＤの自動洗浄を行う自動洗浄スイッチ等を追加することが可能である。
【００２４】
また、ドラムの駆動に際しては、上記油圧モータＭおよび双方向吐出油圧ポンプＰ以外の駆動源を採用するようにしてもよい。
【００２５】
戻って、充電装置Ｅにおけるホルダ１は、リモートコントローラＲの筐体１１を覆い且つ操作部たる操作スイッチ１２を外部操作可能な状態で保持することが可能なように、正面を切欠いた角筒形状をしており、底部内方には出力端子３が設けられ、さらに、側面には、出力端子３に電力を供給可能な太陽電池２が取付けられている。なお、太陽電池２の設置箇所はホルダ１の側面に限られない。
【００２６】
また、ホルダ１における側部内周には、リモートコントローラＲの筐体１１の側部をリモートコントローラＲの脱落を防止して保持可能なように突起１ａ，１ｂが設けられており、図５に示すように、リモートコントローラＲをホルダ１内に挿入していくと、筐体１１がホルダ１を弾性変形させることによって突起１ａ，１ｂの間隔を押し広げ、筐体１１がホルダ１の底部まで押込まれると、突起１ａ，１ｂの間隔が元の状態に復元されて筐体１１とホルダ１で包み込むと同時に突起１ａ，１ｂで強固に把持され、これによりリモートコントローラＲはホルダ１に保持される。
【００２７】
そして、リモートコントローラＲがホルダ１に保持されると、筐体１１の図中下端の入力端子１５とホルダ１の底部内方に設けた出力端子３とが接続した状態に維持されるようになっている。
【００２８】
なお、リモートコントローラＲの筐体１１がホルダ１に保持された状態で、リモートコントローラＲのグリップ１４は、ホルダ１外へ突出し、このグリップ１４を利用してリモートコントローラＲをホルダ１から取り出し易いようになっており、リモートコントローラＲをホルダ１の上方へ引くとホルダ１から開放することができ、リモートコントローラＲは、ホルダ１へ脱着自在とされている。
【００２９】
また、上記したところでは、突起１ａ，１ｂを設けることに代えて他の方法でリモートコントローラＲをホルダ１で保持するようにしてもよく、リモートコントローラＲおよびホルダ１の形状や材質によって適宜の保持方法を採用すればよい。
【００３０】
太陽電池２は、光の照射を受けて電力を発生するものであり、具体的にはたとえば、シリコン、ゲルマニウム等の４族半導体の単結晶、多結晶、微結晶およびアモルファスや化合物半導体、有機半導体を用いたものを使用すればよい。また、太陽電池２は、リモートコントローラＲの蓄電池１０を充電することができる程度に充分な電力を発電できる程度に設置される。
【００３１】
蓄電池１０としては、Ｎｉ−Ｃｄ電池等の充電式電池を採用すればよく、他にも小型で充電可能なものであれば使用することができる。
【００３２】
なお、図示はしないが、電流の逆流防止措置としてのダイオードや、安定的に蓄電池１０に電力供給を行えるように電圧変換を行うコンバータ、チョッパ回路や定電流定電圧充電回路等、蓄電池１０の過充電を防止する回路等をホルダ１内もしくはリモートコントローラＲ内に設置するようにしておくことができる。
【００３３】
また、充電装置Ｅに、図６に示すように、副蓄電池２０を設け、太陽電池２の発生する電力を一端副蓄電池２０に蓄え、副蓄電池２０に蓄えられた電力をリモートコントローラＲの蓄電池１０に出力端子３を介して出力するようにしておけば、天気の状況等によって太陽電池２が発電する電力が不足するような場合にあっても、安定してリモートコントローラＲを充電することができる利点がある。
【００３４】
したがって、太陽電池１を電力源としてリモートコントローラＲの蓄電池１０の充電をすることができ、いちいち、商用電源やミキサ車のバッテリを利用してリモートコントローラＲの蓄電池１０の充電を行う手間が省けるとともに、日中に充電を行いつづけることができるので、作業途中でリモートコントローラＲの蓄電池１０が完全に放電してしまい電力供給が途絶えてしまうという事態をも防止することが可能である。
【００３５】
また、充電源が太陽電池２であるので、ミキサ車のバッテリの寿命が短命になったり、バッテリがあがってしまったりといった事態をも回避することができる。
【００３６】
そして、無線式のリモートコントローラＲの蓄電池１０の充電をミキサ車のバッテリや商用電源を利用することなく行うことが可能であることから、身近な場所でリモートコントローラＲの蓄電池１０の充電を行うことが可能であり、リモートコントローラＲの管理をも容易とすることができる。
【００３７】
さらに、リモートコントローラＲを保持するホルダ１を備えているので、充電中にミキサ車の走行中の振動やリモートコントローラＲの携行中に、リモートコントローラＲが充電装置Ｅから脱落してリモートコントローラＲの蓄電池１０への太陽電池の電力供給が途絶えてしまう危惧もない。
【００３８】
さらに、ホルダ１がリモートコントローラＲを保持した状態で作業者がドラムＤの操作を行うことが可能でき、蓄電池１０を充電しながらのドラム操作を行うことができるので、電力供給が途絶えること確実に防止することが可能となり、いちいち充電装置ＥからリモートコントローラＲを取外して使わざるを得ないといった煩わしさも無く、取り扱いが便利となる。
【００３９】
そして、ホルダ１から必要なときにはリモートコントローラＲを取外して使用することもでき、作業者は、軽量なリモートコントローラＲのみを手にして作業することも選択でき、作業負担を軽減することが可能である。
【００４０】
また、ホルダ１の背面には、図７に示すように、ミキサ車の作業者が着用するベルトを通せるようにベルト通し１ｃが設けられており、作業者がベルト通し１ｃ内にベルトを通してベルトを着用すると、ホルダ１を作業者が身に付けることができるようになっている。
【００４１】
したがって、作業者は、ベルト通し１ｃを利用して充電装置Ｅを身に付けることが可能であるので、リモートコントローラＲを充電するのに、わざわざ商用電源やミキサ車のバッテリの電力を出力する端子がある場所へ出向くことをせずにすみ、その場で身に付けたままリモートコントローラＲの蓄電池１０の充電を行うことができ、リモートコントローラＲの紛失を防止することが可能である。
【００４２】
さらには、身に付けたままドラム操作を行うことができるので、ミキサ車を走行させながら生コンを排出する場合にあっても、作業者は、リモートコントローラＲの操作を容易に行うことができ、リモートコントローラＲを操作する際に無理な体勢を余儀なくされたり、あるいは、そのリモートコントローラＲを手探りで探したりといったことがなくなる。
【００４３】
すなわち、ドラム回転操作の操作性が向上し、該ドラム操作装置を操作する際の作業者の負担を軽減することできる。
【００４４】
なお、上記ベルト通し１ｃは、図示したところでは、フック形状とされてベルトの上方から引っ掛けるように構成されており、ベルトからの取り外しが容易なようにしてあるが、充電装置ＥおよびリモートコントローラＲの落下を防止するために、ベルト通しをスリット状とするなどその構成を他の構成に設計変更することも可能である。
【００４５】
またさらに、このホルダ１の背面には、ベルト通し１ｃの他に、固定手段として面ファスナー１ｄが取付けられており、この面ファスナー１ｄと対になる面ファスナー４０が、図８に示すように、ミキサ車の運転室Ｃ内の所定の位置となる運転席側に設けられるドアの内面、天井、ダッシュボードおよびシフトレバー近傍となる小物入れの上面のそれぞれに取付けられており、ホルダ１を運転室Ｃ内の上記所定の位置の任意の箇所に着脱自在に固定できるようになっている。
【００４６】
なお、固定手段としては、面ファスナー以外にも運転室Ｃの所定の位置に磁石を設置し、ホルダ１を磁性体とするか磁性体を取付けておくことにより磁力でホルダ１を所定の位置に固定する手段としてもよいし、他にもホック、スナップやブラケットを用いてもよく、およそホルダ１を着脱自在に固定できるものであれば固定手段として採用することができる。
【００４７】
また、ホルダ１の背面の面ファスナー１ｄは、対となる面ファスナー４０に固定する際に、ベルト通し１ｃが邪魔とならないような配慮として、ホルダ１の背面を一部図７中紙面手前側に膨出させて膨出部１ｅを形成しておき、この膨出部１ｅに面ファスナー１ｄを取付けてある。
【００４８】
したがって、ミキサ車の作業者は、リモートコントローラＲを運転室Ｃ内のミキサ車運転の邪魔とならないような場所に固定しておくことが可能であり、ミキサ車を走行させながら生コンを排出する場合にあっても、作業者は、作業者が前方あるいはサイドミラーを見つつ目視できる範囲かつ手の届く範囲にリモートコントローラＲを充電装置Ｅごと移動させることができるので、リモートコントローラＲを操作する際に無理な体勢を余儀なくされたり、あるいは、リモートコントローラＲを手探りで探したりといったことがなくなる。
【００４９】
すなわち、このように固定手段を備えた場合にあっても、ドラム回転操作の操作性が向上し、該ドラム操作装置を操作する際の作業者の負担を軽減することできる。
【００５０】
また、ミキサ車走行中に、運転室Ｃ内の日当たりのよい場所に充電装置Ｅを固定しておけば、運転室Ｃ内の床に脱落してしまうことも無く、走行中にあっても、安定的に充電することが可能である。
【００５１】
なお、所定の位置は上記したところに限られず、作業者が作業しやすい位置やリモートコントローラＲの蓄電池１０を充電しやすい位置とすればよいが、特に、所定の位置が上記したドアの内面、天井、ダッシュボードおよびシフトレバーの近傍である場合には、生コン排出時の操作を容易にするばかりでなくリモートコントローラＲおよび充電装置Ｅが生コンの積み下ろし等の作業およびミキサ車の運転の邪魔とならない点でも有利となる。
【００５２】
以上で、本発明の実施の形態についての説明を終えるが、本発明の範囲は図示されまたは説明された詳細そのものには限定されないことは勿論である。
【図面の簡単な説明】
【００５３】
【図１】一実施の形態における充電装置を示す図である。
【図２】一実施の形態における充電装置とリモートコントローラのブロック図である。
【図３】一実施の形態におけるリモートコントローラを示す図である。
【図４】ドラム駆動制御システムの構成を概念的に示す図である。
【図５】充電装置のホルダでリモートコントローラを保持している状態を示す図である。
【図６】一実施の形態の変形例における充電装置とリモートコントローラのブロック図である。
【図７】充電装置の背面図である。
【図８】ミキサ車の運転室内に充電装置およびリモートコントローラを固定した状態を示す図である。
【符号の説明】
【００５４】
１  ホルダ
１ａ，１ｂ  突起
１ｃ  ベルト通し
１ｄ  面ファスナー
２  太陽電池
３  出力端子
１０  蓄電池
１１  筐体
１２  操作部たる操作スイッチ
１３  通信制御部
１４  グリップ
１５  入力端子
２０  副蓄電池
３０  制御装置
４０  面ファスナー
Ｃ  運転室
Ｄ  ドラム
Ｅ  充電装置
Ｍ  油圧モータ
Ｐ  双方向吐出油圧ポンプ
Ｒ  リモートコントローラ
【図１】
2007104780.tif 000003
【図２】
2007104780.tif 000004
【図３】
2007104780.tif 000005
【図４】
2007104780.tif 000006
【図５】
2007104780.tif 000007
【図６】
2007104780.tif 000008
【図７】
2007104780.tif 000009
【図８】
2007104780.tif 000010